(57)【特許請求の範囲】
【請求項１】
ランダムアクセス可能で、テレビジョンカメラからの映像及び音声信号をリアルタイムに圧縮する第１のエンコーダと、前記第１のエンコーダからの映像及び音声信号データをリアルタイムに記録しながら、記録された映像及び音声信号データをコンピュータプログラムによって任意の位置から読み出し編集できる記録媒体と、映像及び音声信号用特殊効果装置と、前記記録媒体及び前記映像及び音声信号用特殊効果装置双方をコントロールできる編集コントロール装置と、前記記録媒体に記録された映像及び音声信号データをリアルタイムに伸長し前記映像及び音声信号用特殊効果装置に入力する第１のデコーダと、前記映像及び音声信号用特殊効果装置からの映像及び音声信号をリアルタイムに圧縮し前記記録媒体に入力する第２のエンコーダと、前記記録媒体から
任意の遅延時間で映像及び音声信号データを読み出しリアルタイムに伸長する第２のデコーダと、前記第２のデコーダからの映像及び音声信号を送信する送信装置とを備え、
前記記録媒体に蓄えられた映像及び音声信号データの任意の位置の信号を前記映像及び音声信号用特殊効果装置に出力することにより、前記コンピュータプログラムによる編集と前記映像及び音声信号用特殊効果装置による編集をリアルタイムに行い、さらに、任意の放送遅延時間を選定できることを特徴とする放送装置。
【発明の詳細な説明】
【０００１】
【発明の属する技術分野】
本発明は放送用テレビジョン(以下ＴＶという)カメラから出力される映像及び音声(以下ＡＶという)信号をリアルタイムに記録再生できる記録媒体に一旦蓄積することによって、任意の放送遅延時間を発生させると共に、映像及び音声信号を編集することができる放送装置に関するものである。
【０００２】
【従来の技術】
近年、パーソナルコンピュータの処理能力の高速化とＭＰＥＧ( moving pic-ture coding experts group )圧縮方式などに代表されるＡＶ信号の高圧縮技術があり、その記録媒体としては、ハードディスクが使用される傾向にある。また、その編集装置としては、編集の対象となるＡＶ信号を圧縮して、一旦ハードディスクにすべて記録した後、コンピュータプログラムによって、ランダムにこのＡＶ信号を取り出し、再生し、編集することが可能である。ＲＡＩＤ( redundant arrays of inexpensive disk )技術等を採用したハードディスクは、複数のハードディスクに分散してデータを読み書きすることができ、ＭＰＥＧ圧縮技術と組み合わせて用いることにより、高解像度のＡＶ信号の記録再生が可能である。
【０００３】
また、コンピュータのメモリー上のＡＶ信号は、いかなる特殊効果も、コンピュータプログラム次第で実現可能である。
【０００４】
【発明が解決しようとする課題】
しかしながら、このような従来の放送装置における構成、例えば編集装置においては、記録媒体であるハードディスクへのＡＶ信号の記録に長時間を要し、また、大容量の記録媒体が必要であり、特に、ＴＶ生放送等においては、リアルタイムの放送が要求されるため、上記編集装置や従来のＶＴＲ編集装置を使用したカット編集等を行うことができないという問題点があった。
【０００５】
本発明は、上記従来の問題点を解決するものであり、ＴＶ生放送において、ＡＶ信号の特殊効果及び特定場面のカット等の編集を行うことができ、これらの編集を行うための、任意の放送遅延時間の選定が可能な放送装置を提供することを目的とする。
【０００６】
【課題を解決するための手段】
本発明の放送装置は、ランダムアクセス可能で、テレビジョンカメラからのＡＶ（映像及び音声）信号をリアルタイムに圧縮する第１のエンコーダと、前記第１のエンコーダからのＡＶ信号データをリアルタイムに記録しながら、記録されたＡＶ信号データをコンピュータプログラムによって任意の位置から読み出し編集できる記録媒体と、ＡＶ信号用特殊効果装置と、前記記録媒体及び前記ＡＶ信号用特殊効果装置双方をコントロールできる編集コントロール装置と、前記記録媒体に記録されたＡＶ信号データをリアルタイムに伸長し前記ＡＶ信号用特殊効果装置に入力する第１のデコーダと、前記ＡＶ信号用特殊効果装置からのＡＶ信号をリアルタイムに圧縮し前記記録媒体に入力する第２のエンコーダと、前記記録媒体から任意の遅延時間でＡＶ信号データを読み出しリアルタイムに伸長する第２のデコーダと、前記第２のデコーダからのＡＶ信号を送信する送信装置とを備え、前記記録媒体に蓄えられたＡＶ信号データの任意の位置の信号をＡＶ信号用特殊効果装置に出力することにより、前記コンピュータプログラムによる編集とＡＶ信号用特殊効果装置による編集をリアルタイムに行い、さらに、任意の放送遅延時間を選定できるようにしたものである。
【０００７】
この発明によればＴＶ生放送において、ＡＶ信号の特殊効果及び特定場面のカット等の編集を行うことができ、これらの編集を行うための、任意の放送遅延時間の選定が可能となる。
【０００８】
【発明の実施の形態】
以下本発明の一実施の形態について図面を参照しながら説明する。
【０００９】
図１は本発明の放送装置の一実施の形態における構成を示すブロック図であり、図中、１はＡＶベースバンド信号を発生するＴＶカメラ、２及び９はＡＶベースバンド信号をリアルタイムにデータ圧縮できるリアルタイムエンコーダ、３はコンピュータを用いたハードディスクコントロール装置、４はハードディスク、５及び８はＡＶ圧縮データをリアルタイムでデコードできるリアルタイムデコーダ、６は送信装置、７はアンテナ、10はＡＶベースバンド信号に特殊効果を施すことができる特殊効果装置、11は特殊効果装置10とハードディスクコントロール装置３を同期してコントロールできる編集コントロール装置、12は編集結果の確認のためのモニター、13はハードディスクコントロール装置３のコントロールデータライン、14はＡＶ特殊効果装置コントロールデータラインである。
【００１０】
以下、その動作を説明する。まず、ＴＶカメラ１より出力されるＡＶベースバンド信号は、リアルタイムエンコーダ２に入力されデータ圧縮されてハードディスクコントロール装置３へ送られる。ハードディスクコントロール装置３は、そのＡＶ圧縮データを時間情報と共にハードディスク４へ連続的に格納する。この時、ハードディスク４の空き領域がなくなった時は、最も古く格納されたデータ領域にオーバーライトするよう動作する。
【００１１】
ハードディスクコントロール装置３は、上記動作を連続的にしながら、リアルタイムデコーダ５に対し、編集コントロール装置11より指定された遅延時間の後、ハードディスク４に格納されたＡＶ圧縮データを連続的に出力する。この出力はリアルタイムデコーダ５でＡＶベースバンド信号にデコードされ、送信装置６とアンテナ７で放送される。同時に、ハードディスクコントロール装置３はリアルタイムデコーダ８に対して編集コントロール装置より指定された任意時刻のＡＶ圧縮データを出力する。
【００１２】
リアルタイムデコーダ８は、入力されたＡＶ圧縮データをＡＶベースバンド信号にデコードし特殊効果装置10へ出力する。そして、この入力されたＡＶベースバンド信号をＴＶモニター12で確認しながら映像及び音声に特殊効果を施した後、リアルタイムエンコーダ９で再びデータ圧縮し、ハードディスクコントロール装置３に入力する。入力されたデータはデータ中の時間情報に基づき、ハードディスク４上の特殊効果を施す前のＡＶ圧縮データ上にオーバーライトされるが、この時のハードディスク４の記録容量は最大選定遅延時間分あればよいことになる。この際、編集コントロール装置11の指定によりハードディスク４の任意の位置への書き込みも可能となる。また、ＴＶカメラ１の信号は直接特殊効果装置10にも入力してあるので、カット編集及びインサート編集も可能である。
【００１３】
以上のように本実施の形態によれば、ＴＶカメラのＡＶベースバンド信号をハードディスク４に連続的に蓄えながら、同時に送信装置及び特殊効果装置にハードディスク４に蓄えられたＡＶ圧縮データの任意の位置を出力することにより、コンピュータプログラムによる編集と従来の特殊効果装置による双方の編集を施し、ＡＶ圧縮データを、再生開始時間までに前記ハードディスク４にオーバーライトしておくことにより、連続的なリアルタイムの放送を行うことができる。
【００１４】
【発明の効果】
以上のように本発明によれば、ランダムアクセス可能な記録媒体に一時ＡＶ圧縮データを蓄えることにより、編集に必要な任意の遅延時間を発生させることができ、これをリアルタイムエンコーダ及びリアルタイムデコーダと組み合わせることにより、記録媒体の必要記録容量を減少させ、編集操作に都合の良い任意データ形式を採用することができるという有利な効果が得られる。
【００１５】
また、これらの編集システムに送信装置を付加することによりＴＶ生放送においても、従来のオフライン編集と同様の編集効果を施した放送装置を構築することができる。
【図面の簡単な説明】
【図１】本発明の放送装置の一実施の形態における構成を示すブロック図である。
【符号の説明】
１…ＴＶカメラ、  ２，９…リアルタイムエンコーダ、  ３…ハードディスクコントロール装置、  ４…ハードディスク、  ５，８…リアルタイムデコーダ、  ６…送信装置、  ７…アンテナ、  10…特殊効果装置、  11…編集コントロール装置、  12…モニター、  13…ハードディスクコントロール装置のコントロールデータライン、  14…ＡＶ特殊効果装置コントロールデータライン。
【図１】
0003765639.tif 000002